(57)【要約】【課題】マスク本体内の空間に有害粒子を侵入しにくくするマスク用アタッチメント、及びそれを備えたマスクを提供する。【解決手段】マスク用アタッチメント２０は、装着者の口を覆うマスク本体１０に取り付けられるシート状のマスク用アタッチメントである。マスク用アタッチメント２０は、マスク本体１０に取り付けられた状態で、マスク本体１０から食み出すように構成されている。【選択図】図１
2020114961.tif 000002
【特許請求の範囲】
【請求項１】
装着者の口を覆うマスク本体に取り付けられるシート状のマスク用アタッチメントであって、
当該マスク用アタッチメントは、前記マスク本体に取り付けられた状態で、当該マスク本体から食み出すように構成されていることを特徴とするマスク用アタッチメント。
【請求項２】
請求項１に記載のマスク用アタッチメントにおいて、
当該マスク用アタッチメントは、前記マスク本体の上端から食み出すように当該マスク本体に取り付けられる上部アタッチメントを含むマスク用アタッチメント。
【請求項３】
請求項２に記載のマスク用アタッチメントにおいて、
前記マスク本体の前記上端のうち、前記上部アタッチメントが食み出す部分の長さは、当該上端全体の長さの１／２以上であるマスク用アタッチメント。
【請求項４】
請求項３に記載のマスク用アタッチメントにおいて、
前記マスク本体の前記上端のうち、前記上部アタッチメントが食み出す部分の長さは、当該上端全体の長さの４／５以上であるマスク用アタッチメント。
【請求項５】
請求項２乃至４の何れかに記載のマスク用アタッチメントにおいて、
前記上部アタッチメントの厚みは、前記マスク本体の厚みよりも大きいマスク用アタッチメント。
【請求項６】
請求項２乃至５の何れかに記載のマスク用アタッチメントにおいて、
前記上部アタッチメントは、前記マスク本体と異なる色を有するマスク用アタッチメント。
【請求項７】
請求項２乃至６の何れかに記載のマスク用アタッチメントにおいて、
前記上部アタッチメントには、図柄が描かれているマスク用アタッチメント。
【請求項８】
請求項２乃至７の何れかに記載のマスク用アタッチメントにおいて、
前記上部アタッチメントは、前記マスク本体の外側で折り返された状態である折返し状態で使用可能であるマスク用アタッチメント。
【請求項９】
請求項８に記載のマスク用アタッチメントにおいて、
前記上部アタッチメントは、前記折返し状態で当該上部アタッチメントの食出部を前記マスク本体に固定するための固定手段を有するマスク用アタッチメント。
【請求項１０】
請求項２乃至７の何れかに記載のマスク用アタッチメントにおいて、
前記上部アタッチメントは、鼻の形状に沿った立体形状を有するマスク用アタッチメント。
【請求項１１】
請求項２乃至１０の何れかに記載のマスク用アタッチメントにおいて、
前記上部アタッチメントは、前記マスク本体に対して着脱可能であるマスク用アタッチメント。
【請求項１２】
請求項１乃至１１の何れかに記載のマスク用アタッチメントにおいて、
当該マスク用アタッチメントは、前記マスク本体の左端及び右端のそれぞれから食み出すように当該マスク本体に取り付けられる一対の側部アタッチメントを含むマスク用アタッチメント。
【請求項１３】
請求項１２に記載のマスク用アタッチメントにおいて、
前記マスク本体の前記左端のうち、前記側部アタッチメントが食み出す部分の長さは、当該左端全体の長さの１／２以上であり、
前記マスク本体の前記右端のうち、前記側部アタッチメントが食み出す部分の長さは、当該右端全体の長さの１／２以上であるマスク用アタッチメント。
【請求項１４】
請求項１３に記載のマスク用アタッチメントにおいて、
前記マスク本体の前記左端のうち、前記側部アタッチメントが食み出す部分の長さは、当該左端全体の長さの４／５以上であり、
前記マスク本体の前記右端のうち、前記側部アタッチメントが食み出す部分の長さは、当該右端全体の長さの４／５以上であるマスク用アタッチメント。
【請求項１５】
請求項１２乃至１４の何れかに記載のマスク用アタッチメントにおいて、
前記側部アタッチメントの厚みは、前記マスク本体の厚みよりも大きいマスク用アタッチメント。
【請求項１６】
請求項１２乃至１５の何れかに記載のマスク用アタッチメントにおいて、
前記側部アタッチメントは、前記マスク本体と異なる色を有するマスク用アタッチメント。
【請求項１７】
請求項１２乃至１６の何れかに記載のマスク用アタッチメントにおいて、
前記側部アタッチメントには、図柄が描かれているマスク用アタッチメント。
【請求項１８】
請求項１２乃至１７の何れかに記載のマスク用アタッチメントにおいて、
前記側部アタッチメントは、前記マスク本体の外側で折り返された状態である折返し状態で使用可能であるマスク用アタッチメント。
【請求項１９】
請求項１８に記載のマスク用アタッチメントにおいて、
前記側部アタッチメントは、前記折返し状態で当該側部アタッチメントの食出部を前記マスク本体に固定するための固定手段を有するマスク用アタッチメント。
【請求項２０】
請求項１２乃至１７の何れかに記載のマスク用アタッチメントにおいて、
前記側部アタッチメントには、ダーツが入っているマスク用アタッチメント。
【請求項２１】
請求項１２乃至２０の何れかに記載のマスク用アタッチメントにおいて、
前記側部アタッチメントは、前記マスク本体に対して着脱可能であるマスク用アタッチメント。
【請求項２２】
請求項１乃至２１の何れかに記載のマスク用アタッチメントにおいて、
当該マスク用アタッチメントは、前記マスク本体の下端から食み出すように当該マスク本体に取り付けられる下部アタッチメントを含むマスク用アタッチメント。
【請求項２３】
請求項２２に記載のマスク用アタッチメントにおいて、
前記マスク本体の前記下端のうち、前記下部アタッチメントが食み出す部分の長さは、当該下端全体の長さの１／２以上であるマスク用アタッチメント。
【請求項２４】
請求項２３に記載のマスク用アタッチメントにおいて、
前記マスク本体の前記下端のうち、前記下部アタッチメントが食み出す部分の長さは、当該下端全体の長さの４／５以上であるマスク用アタッチメント。
【請求項２５】
請求項２２乃至２４の何れかに記載のマスク用アタッチメントにおいて、
前記下部アタッチメントの厚みは、前記マスク本体の厚みよりも大きいマスク用アタッチメント。
【請求項２６】
請求項２２乃至２５の何れかに記載のマスク用アタッチメントにおいて、
前記下部アタッチメントは、前記マスク本体と異なる色を有するマスク用アタッチメント。
【請求項２７】
請求項２２乃至２６の何れかに記載のマスク用アタッチメントにおいて、
前記下部アタッチメントには、図柄が描かれているマスク用アタッチメント。
【請求項２８】
請求項２２乃至２７の何れかに記載のマスク用アタッチメントにおいて、
前記下部アタッチメントは、前記マスク本体の外側で折り返された状態である折返し状態で使用可能であるマスク用アタッチメント。
【請求項２９】
請求項２８に記載のマスク用アタッチメントにおいて、
前記下部アタッチメントは、前記折返し状態で当該下部アタッチメントの食出部を前記マスク本体に固定するための固定手段を有するマスク用アタッチメント。
【請求項３０】
請求項２２乃至２７の何れかに記載のマスク用アタッチメントにおいて、
前記下部アタッチメントは、左右方向に延びる複数の折目を有しており、当該複数の折目に沿って蛇腹状に折り曲げられるように構成されているマスク用アタッチメント。
【請求項３１】
請求項２２乃至３０の何れかに記載のマスク用アタッチメントにおいて、
前記下部アタッチメントは、前記マスク本体に対して着脱可能であるマスク用アタッチメント。
【請求項３２】
請求項１乃至３１の何れかに記載のマスク用アタッチメントにおいて、
当該マスク用アタッチメントは、帯電状態にあるマスク用アタッチメント。
【請求項３３】
請求項１乃至３２の何れかに記載のマスク用アタッチメントにおいて、
当該マスク用アタッチメントは、抗菌成分を含有するマスク用アタッチメント。
【請求項３４】
請求項１乃至３３の何れかに記載のマスク用アタッチメントと、
前記マスク本体と、
を備えることを特徴とするマスク。
【請求項３５】
請求項３４に記載のマスクにおいて、
前記マスク本体には、前記マスク用アタッチメントの取付位置を示す印が付されているマスク。
【請求項３６】
請求項３４又は３５に記載のマスクにおいて、
前記マスク本体は、保水材が収容される保水材収容部を有するマスク。
【発明の詳細な説明】
【技術分野】
【０００１】
本発明は、マスク本体に取り付けられるマスク用アタッチメント、及びそれを備えたマスクに関する。
【背景技術】
【０００２】
従来のマスクとしては、例えば特許文献１に記載されたものがある。同文献に記載されたマスクは、装着者の鼻及び口を覆うマスク本体と、マスク本体を装着者の顔に固定するための耳紐とを備えている。マスク本体は、通気性のシート状素材から形成されている。耳紐は、マスク本体の左右両側に取り付けられている。
【先行技術文献】
【特許文献】
【０００３】
【特許文献１】特開２０１２−４０１６３号公報
【発明の概要】
【発明が解決しようとする課題】
【０００４】
かかるマスクは、マスク本体で鼻及び口を覆うことにより、鼻腔内や口腔内に有害粒子（ウィルス、細菌、花粉等）が入り込むのを阻止する機能を有する。しかしながら、マスク本体の端部と顔との間の隙間を通じて、有害粒子がマスク本体内の空間（マスク本体と顔との間の空間）に侵入してしまうという問題がある。
【０００５】
本発明は、上記課題に鑑みてなされたものであり、マスク本体内の空間に有害粒子を侵入しにくくするマスク用アタッチメント、及びそれを備えたマスクを提供することを目的とする。
【課題を解決するための手段】
【０００６】
本発明によるマスク用アタッチメントは、装着者の口を覆うマスク本体に取り付けられるシート状のマスク用アタッチメントであって、当該マスク用アタッチメントは、上記マスク本体に取り付けられた状態で、当該マスク本体から食み出すように構成されていることを特徴とする。
【０００７】
このマスク用アタッチメントは、マスク本体に取り付けられた状態で、当該マスク本体から食み出すように構成されている。このため、マスク用アタッチメントにおけるマスク本体から食み出した部分で、マスク本体内の空間に侵入しようとする有害粒子を遮断することができる。このようにマスク本体の外側で有害粒子を遮断することにより、マスク本体内の空間への有害粒子の侵入を未然に防ぐことができる。
【０００８】
また、本発明によるマスクは、上記マスク用アタッチメントと、上記マスク本体と、を備えることを特徴とする。
【０００９】
このマスクにおいては、マスク本体に上述のマスク用アタッチメントが取り付けられる。このため、マスク用アタッチメントにおけるマスク本体から食み出した部分で、マスク本体内の空間に侵入しようとする有害粒子を遮断することができる。このようにマスク本体の外側で有害粒子を遮断することにより、マスク本体内の空間への有害粒子の侵入を未然に防ぐことができる。
【発明の効果】
【００１０】
本発明によれば、マスク本体内の空間に有害粒子を侵入しにくくするマスク用アタッチメント、及びそれを備えたマスクが実現される。
【図面の簡単な説明】
【００１１】
【図１】本発明によるマスク用アタッチメント及びマスクの一実施形態を示す正面図である。
【図２】マスク本体１０を示す正面図である。
【図３】上部アタッチメント２２を示す背面図である。
【図４】マスク本体１０の上端のうち上部アタッチメント２２が食み出す部分の長さについて説明するための図である。
【図５】マスク本体１０及び上部アタッチメント２２を示す側面図である。
【図６】側部アタッチメント２４を示す背面図である。
【図７】マスク本体１０の左端のうち側部アタッチメント２４が食み出す部分の長さについて説明するための図である。
【図８】マスク本体１０及び側部アタッチメント２４を示す平面図である。
【図９】下部アタッチメント２６を示す背面図である。
【図１０】マスク本体１０の下端のうち下部アタッチメント２６が食み出す部分の長さについて説明するための図である。
【図１１】マスク本体１０及び下部アタッチメント２６を示す側面図である。
【図１２】一変形例に係る上部アタッチメント２２を示す正面図である。
【図１３】他の変形例に係る上部アタッチメント２２を示す正面図である。
【図１４】上部アタッチメント２２の他の変形例を説明するための図である。
【図１５】側部アタッチメント２４の一変形例を説明するための図である。
【図１６】下部アタッチメント２６の一変形例を説明するための図である。
【図１７】下部アタッチメント２６の一変形例を説明するための図である。
【発明を実施するための形態】
【００１２】
以下、図面を参照しつつ、本発明の実施形態について詳細に説明する。なお、図面の説明においては、同一要素には同一符号を付し、重複する説明を省略する。
【００１３】
図１は、本発明によるマスク用アタッチメント及びマスクの一実施形態を示す正面図である。マスク１は、マスク本体１０、及びマスク用アタッチメント２０を備えている。マスク本体１０は、シート状をしており、装着者の口を覆う。マスク本体１０は、目、鼻及び口のうち、鼻及び口のみを覆ってもよいし、口のみを覆ってもよい。図１は、マスク本体１０の外面、すなわち装着者の顔に対向する面である内面とは反対側の面を示している。マスク本体１０は、通気性を有する材料からなる。かかる材料としては、例えば、不織布、紙、又はガーゼを用いることができる。
【００１４】
マスク本体１０には、当該マスク本体１０を装着者の顔に固定するための固定手段１２（マスク固定手段）が接続されている。本実施形態において固定手段１２は、装着者の耳に掛けられる紐状部材である。かかる紐状部材としては、例えば、ゴム紐を用いることができる。マスク本体１０及び固定手段１２としては、一般的な市販のマスク（使い捨てされるタイプ又は繰り返し使用されるタイプの何れであってもよい。）を用いてもよい。
【００１５】
図２は、マスク本体１０を示す正面図である。マスク本体１０の外面には、マスク用アタッチメント２０の取付位置を示す印１４が付されている。本実施形態において印１４は、４組の鍵印からなる。１組は、マスク本体１０の上端付近に設けられた２つの鍵印からなり、後述する上部アタッチメント２２の角の位置を示している。もう１組は、マスク本体１０の左端付近に設けられた２つの鍵印からなり、後述する一対の側部アタッチメント２４のうちの一方の角の位置を示している。もう１組は、マスク本体１０の右端付近に設けられた２つの鍵印からなり、後述する一対の側部アタッチメント２４のうちの他方の角の位置を示している。残りの１組は、マスク本体１０の下端付近に設けられた２つの鍵印からなり、後述する下部アタッチメント２６の角の位置を示している。
【００１６】
図１に戻って、マスク用アタッチメント２０は、マスク本体１０に取り付けられるシート状のマスク用アタッチメントである。マスク用アタッチメント２０は、マスク本体１０に取り付けられた状態（図１参照）で、マスク本体１０から食み出すように構成されている。マスク用アタッチメント２０は、上部アタッチメント２２、一対の側部アタッチメント２４、及び下部アタッチメント２６を含んでいる。これらの上部アタッチメント２２、側部アタッチメント２４及び下部アタッチメント２６は、互いに別体に設けられている。一対の側部アタッチメント２４どうしも、互いに別体に設けられている。マスク用アタッチメント２０は、マスク本体１０に予め取り付けられていてもよいし、使用の際に装着者によって取り付けられてもよい。マスク用アタッチメント２０は、正面視でマスク本体１０の一部にのみ重なるように、マスク本体１０に取り付けられる。このとき、マスク本体１０を通じた呼吸の容易性を確保する観点から、マスク本体１０の大部分（マスク本体１０全体の面積の１／２を超える部分）がマスク用アタッチメント２０に重ならないことが好ましい。
【００１７】
図３は、上部アタッチメント２２を示す背面図である。同図は、上部アタッチメント２２の内面を示している。ここで、上部アタッチメント２２の内面とは、マスク本体１０に取り付けられた上部アタッチメント２２が折り返されていない状態（図１に示す状態）で、装着者の顔に対向する面をいう。本実施形態において上部アタッチメント２２は、矩形状をしている。上部アタッチメント２２の横方向（マスク本体１０の上端に平行な方向）の長さは、例えば８ｃｍ以上１８ｃｍ以下である。上部アタッチメント２２の縦方向の長さは、例えば３ｃｍ以上７ｃｍ以下である。
【００１８】
上部アタッチメント２２は、マスク本体１０の上端から食み出すようにマスク本体１０に取り付けられる。すなわち、上部アタッチメント２２は、正面視で上部アタッチメント２２の一部のみがマスク本体１０に重なるように、マスク本体１０に取り付けられる。このとき、上部アタッチメント２２の大部分（上部アタッチメント２２全体の面積の１／２を超える部分）がマスク本体１０から食み出すことが好ましい。マスク本体１０の上端のうち、上部アタッチメント２２が食み出す部分の長さｔ１（図４参照）は、当該上端全体の長さｔ０の１／２以上であることが好ましく、４／５以上であることがより好ましい。
【００１９】
上部アタッチメント２２の材料は、マスク本体１０の材料と同一であってもよいし、異なっていてもよい。上部アタッチメント２２の材料としては、例えば、不織布、紙、ガーゼの他、ウレタン、軟質ゴム、シリコン等を用いることができる。上部アタッチメント２２は、クッション性を有することが好ましい。本実施形態において上部アタッチメント２２の厚みは、マスク本体１０の厚みよりも大きい。上部アタッチメント２２は、マスク本体１０と同一の色を有していてもよいし、異なる色を有していてもよい。上部アタッチメント２２には、図柄が描かれていてもよい。かかる図柄としては、例えば、動物、スイーツ（デザート）、乗り物、又は、アニメや漫画等のキャラクターの図柄が挙げられる。
【００２０】
上部アタッチメント２２の内面には、固定手段３２（基底部固定手段）及び固定手段４２（食出部固定手段）が設けられている。固定手段３２は、上部アタッチメント２２の下端付近に配設されており、当該下端に沿って延在している。固定手段３２は、上部アタッチメント２２の基底部をマスク本体１０に固定するための手段である。上部アタッチメント２２の基底部は、マスク本体１０に取り付けられた上部アタッチメント２２が折り返されていない状態で、マスク本体１０から食み出さない部分（正面視でマスク本体１０に重なる部分）である。本実施形態において固定手段３２は、粘着剤からなる。上部アタッチメント２２の基底部は、固定手段３２を介してマスク本体１０の外面に貼着されることにより、マスク本体１０の上端付近に固定される。
【００２１】
固定手段４２は、上部アタッチメント２２の上端付近に配設されており、当該上端に沿って延在している。固定手段４２は、上部アタッチメント２２の食出部をマスク本体１０に固定するための手段である。上部アタッチメント２２の食出部は、マスク本体１０に取り付けられた上部アタッチメント２２が折り返されていない状態で、マスク本体１０から食み出す部分である。本実施形態において固定手段４２は、粘着剤からなる。
【００２２】
図５は、マスク本体１０及び上部アタッチメント２２を示す側面図である。すなわち、同図は、マスク本体１０の右方向からマスク本体１０及び上部アタッチメント２２を見た図である。上部アタッチメント２２は、同図に示すように、マスク本体１０の外側（正面視でマスク本体１０に重ならない位置）で折り返された状態（折返し状態）で使用可能である。上部アタッチメント２２は、側面視で曲線を描くように折り返されている。折返し状態で上部アタッチメント２２の食出部は、固定手段４２を介してマスク本体１０の内面に貼着されることにより、マスク本体１０の上端付近に固定される。
【００２３】
上部アタッチメント２２は、マスク本体１０に対して着脱可能である。ここで、着脱可能とは、マスク本体１０及び上部アタッチメント２２を損傷することなく、上部アタッチメント２２がマスク本体１０に取り付けられた状態と取り付けられていない状態とを交互に何度も切り替えられることをいう。かかる着脱可能な上部アタッチメント２２は、粘着剤（固定手段３２，４２）の粘着力を適度に調整することにより実現することができる。
【００２４】
図６は、側部アタッチメント２４を示す背面図である。同図は、側部アタッチメント２４の内面を示している。ここで、側部アタッチメント２４の内面とは、マスク本体１０に取り付けられた側部アタッチメント２４が折り返されていない状態で、装着者の顔に対向する面をいう。本実施形態において側部アタッチメント２４は、矩形状をしている。側部アタッチメント２４の横方向（マスク本体１０の左端及び右端に平行な方向）の長さは、例えば４ｃｍ以上９ｃｍ以下である。側部アタッチメント２４の縦方向の長さは、例えば３ｃｍ以上７ｃｍ以下である。
【００２５】
一対の側部アタッチメント２４は、マスク本体１０の左端及び右端のそれぞれから食み出すようにマスク本体１０に取り付けられる。すなわち、側部アタッチメント２４は、正面視で各側部アタッチメント２４の一部のみがマスク本体１０に重なるように、マスク本体１０に取り付けられる。このとき、各側部アタッチメント２４の大部分（各側部アタッチメント２４全体の面積の１／２を超える部分）がマスク本体１０から食み出すことが好ましい。マスク本体１０の左端のうち、側部アタッチメント２４が食み出す部分の長さｓ１（図７参照）は、当該左端全体の長さｓ０の１／２以上であることが好ましく、４／５以上であることがより好ましい。同様に、マスク本体１０の右端のうち、側部アタッチメント２４が食み出す部分の長さも、当該右端全体の長さの１／２以上であることが好ましく、４／５以上であることがより好ましい。
【００２６】
側部アタッチメント２４の材料は、マスク本体１０の材料と同一であってもよいし、異なっていてもよい。側部アタッチメント２４の材料としては、例えば、不織布、紙、ガーゼの他、ウレタン、軟質ゴム、シリコン等を用いることができる。側部アタッチメント２４は、クッション性を有することが好ましい。本実施形態において側部アタッチメント２４の厚みは、マスク本体１０の厚みよりも大きい。側部アタッチメント２４は、マスク本体１０と同一の色を有していてもよいし、異なる色を有していてもよい。側部アタッチメント２４には、図柄が描かれていてもよい。
【００２７】
側部アタッチメント２４の内面には、固定手段３４（基底部固定手段）及び固定手段４４（食出部固定手段）が設けられている。固定手段３４は、側部アタッチメント２４の下端付近に配設されており、当該下端に沿って延在している。固定手段３４は、側部アタッチメント２４の基底部をマスク本体１０に固定するための手段である。側部アタッチメント２４の基底部は、マスク本体１０に取り付けられた側部アタッチメント２４が折り返されていない状態で、マスク本体１０から食み出さない部分（正面視でマスク本体１０に重なる部分）である。本実施形態において固定手段３４は、粘着剤からなる。一対の側部アタッチメント２４の基底部は、固定手段３４を介してマスク本体１０の外面に貼着されることにより、マスク本体１０の左端付近及び右端付近にそれぞれ固定される。
【００２８】
固定手段４４は、側部アタッチメント２４の上端付近に配設されており、当該上端に沿って延在している。固定手段４４は、側部アタッチメント２４の食出部をマスク本体１０に固定するための手段である。側部アタッチメント２４の食出部は、マスク本体１０に取り付けられた側部アタッチメント２４が折り返されていない状態で、マスク本体１０から食み出す部分である。本実施形態において固定手段４４は、粘着剤からなる。
【００２９】
図８は、マスク本体１０及び側部アタッチメント２４を示す平面図である。すなわち、同図は、マスク本体１０の上方向からマスク本体１０及び側部アタッチメント２４を見た図である。側部アタッチメント２４は、同図に示すように、マスク本体１０の外側で折り返された状態（折返し状態）で使用可能である。側部アタッチメント２４は、平面視で曲線を描くように折り返されている。折返し状態で一対の側部アタッチメント２４の食出部は、固定手段４４を介してマスク本体１０の内面に貼着されることにより、マスク本体１０の左端付近及び右端付近にそれぞれ固定される。
【００３０】
側部アタッチメント２４は、マスク本体１０に対して着脱可能である。ここで、着脱可能とは、マスク本体１０及び側部アタッチメント２４を損傷することなく、側部アタッチメント２４がマスク本体１０に取り付けられた状態と取り付けられていない状態とを交互に何度も切り替えられることをいう。かかる着脱可能な側部アタッチメント２４は、粘着剤（固定手段３４，４４）の粘着力を適度に調整することにより実現することができる。
【００３１】
図９は、下部アタッチメント２６を示す背面図である。同図は、下部アタッチメント２６の内面を示している。ここで、下部アタッチメント２６の内面とは、マスク本体１０に取り付けられた下部アタッチメント２６が折り返されていない状態で、装着者の顔に対向する面をいう。本実施形態において下部アタッチメント２６は、矩形状をしている。下部アタッチメント２６の横方向（マスク本体１０の下端に平行な方向）の長さは、例えば８ｃｍ以上１８ｃｍ以下である。下部アタッチメント２６の縦方向の長さは、例えば３ｃｍ以上７ｃｍ以下である。
【００３２】
下部アタッチメント２６は、マスク本体１０の下端から食み出すようにマスク本体１０に取り付けられる。すなわち、下部アタッチメント２６は、正面視で下部アタッチメント２６の一部のみがマスク本体１０に重なるように、マスク本体１０に取り付けられる。このとき、下部アタッチメント２６の大部分（下部アタッチメント２６全体の面積の１／２を超える部分）がマスク本体１０から食み出すことが好ましい。マスク本体１０の下端のうち、下部アタッチメント２６が食み出す部分の長さｂ１（図１０参照）は、当該下端全体の長さｂ０の１／２以上であることが好ましく、４／５以上であることがより好ましい。
【００３３】
下部アタッチメント２６の材料は、マスク本体１０の材料と同一であってもよいし、異なっていてもよい。下部アタッチメント２６の材料としては、例えば、不織布、紙、ガーゼの他、ウレタン、軟質ゴム、シリコン等を用いることができる。下部アタッチメント２６は、クッション性を有することが好ましい。本実施形態において下部アタッチメント２６の厚みは、マスク本体１０の厚みよりも大きい。下部アタッチメント２６は、マスク本体１０と同一の色を有していてもよいし、異なる色を有していてもよい。下部アタッチメント２６には、図柄が描かれていてもよい。
【００３４】
下部アタッチメント２６の内面には、固定手段３６（基底部固定手段）及び固定手段４６（食出部固定手段）が設けられている。固定手段３６は、下部アタッチメント２６の下端付近に配設されており、当該下端に沿って延在している。固定手段３６は、下部アタッチメント２６の基底部をマスク本体１０に固定するための手段である。下部アタッチメント２６の基底部は、マスク本体１０に取り付けられた下部アタッチメント２６が折り返されていない状態で、マスク本体１０から食み出さない部分（正面視でマスク本体１０に重なる部分）である。本実施形態において固定手段３６は、粘着剤からなる。下部アタッチメント２６の基底部は、固定手段３６を介してマスク本体１０の外面に貼着されることにより、マスク本体１０の下端付近に固定される。
【００３５】
固定手段４６は、下部アタッチメント２６の上端付近に配設されており、当該上端に沿って延在している。固定手段４６は、下部アタッチメント２６の食出部をマスク本体１０に固定するための手段である。下部アタッチメント２６の食出部は、マスク本体１０に取り付けられた下部アタッチメント２６が折り返されていない状態で、マスク本体１０から食み出す部分である。本実施形態において固定手段４６は、粘着剤からなる。
【００３６】
図１１は、マスク本体１０及び下部アタッチメント２６を示す側面図である。すなわち、同図は、マスク本体１０の右方向からマスク本体１０及び下部アタッチメント２６を見た図である。下部アタッチメント２６は、同図に示すように、マスク本体１０の外側で折り返された状態（折返し状態）で使用可能である。下部アタッチメント２６は、側面視で曲線を描くように折り返されている。折返し状態で下部アタッチメント２６の食出部は、固定手段４６を介してマスク本体１０の内面に貼着されることにより、マスク本体１０の下端付近に固定される。
【００３７】
下部アタッチメント２６は、マスク本体１０に対して着脱可能である。ここで、着脱可能とは、マスク本体１０及び下部アタッチメント２６を損傷することなく、下部アタッチメント２６がマスク本体１０に取り付けられた状態と取り付けられていない状態とを交互に何度も切り替えられることをいう。かかる着脱可能な下部アタッチメント２６は、粘着剤（固定手段３６，４６）の粘着力を適度に調整することにより実現することができる。
【００３８】
本実施形態の効果を説明する。マスク用アタッチメント２０は、マスク本体１０に取り付けられた状態で、マスク本体１０から食み出すように構成されている。このため、マスク用アタッチメント２０におけるマスク本体１０から食み出した部分で、マスク本体１０内の空間に侵入しようとする有害粒子を遮断することができる。このようにマスク本体１０の外側で有害粒子を遮断することにより、マスク本体１０内の空間への有害粒子の侵入を未然に防ぐことができる。したがって、マスク本体１０内の空間に有害粒子を侵入しにくくするマスク用アタッチメント２０、及びそれを備えたマスク１が実現されている。
【００３９】
また、マスク用アタッチメント２０がマスク本体１０の端部（上端、左端、右端及び下端）と顔との間の隙間の少なくとも一部を塞ぐため、マスク本体１０内の空間の湿度を高く保ちやすくなる。当該空間の湿度を高めることにより、インフルエンザウィルス等の感染力を低下させる効果も期待できる。
【００４０】
マスク用アタッチメント２０は、マスク本体１０の上端から食み出す上部アタッチメント２２を含んでいる。これにより、マスク本体１０の上端と顔との間の隙間からマスク本体１０内の空間に侵入しようとする有害粒子を遮断することができる。
【００４１】
上部アタッチメント２２による有害粒子の遮断効果を高めるには、マスク本体１０の上端のうち上部アタッチメント２２が食み出す部分の長さｔ１を大きくした方が有利である。かかる観点から、長さｔ１は、マスク本体１０の上端全体の長さｔ０の１／２以上であることが好ましく、４／５以上であることがより好ましい。なお、長さｔ１は、長さｔ０に等しくてもよい。すなわち、上部アタッチメント２２は、マスク本体１０の上端全体から食み出してもよい。
【００４２】
上部アタッチメント２２の厚みは、マスク本体１０の厚みよりも大きい。これにより、有害粒子が上部アタッチメント２２を通り抜けにくくなる。このことも、上部アタッチメント２２による有害粒子の遮断効果の向上に資する。
【００４３】
上部アタッチメント２２がマスク本体１０と異なる色を有する場合、マスク１のファッション性を向上させることができる。上部アタッチメント２２に図柄が描かれている場合も、同様である。特に、動物、スイーツ、乗り物、又はキャラクターの図柄は、子供の関心を強く惹く。そのため、これらの図柄が上部アタッチメント２２に描かれている場合、子供が嫌がらずにマスク１を装着し易くなる。
【００４４】
上部アタッチメント２２は、折返し状態で使用可能である。上部アタッチメント２２を折り返すことにより、マスク本体１０の厚み方向（図５の左右方向）の広範囲に上部アタッチメント２２を配置することができる。これにより、上部アタッチメント２２による有害粒子の遮断効果を向上させることができる。なお、上部アタッチメント２２は、折り返されていない状態で使用してもよい。
【００４５】
上部アタッチメント２２は、その基底部をマスク本体１０に固定するための固定手段３２を有している。このため、固定手段を別途用意しなくても、上部アタッチメント２２の基底部をマスク本体１０に固定することができる。これにより、上部アタッチメント２２がマスク本体１０に取り付けられた状態を安定的に維持することができる。特に固定手段３２が接着剤である場合、マスク本体１０に対する上部アタッチメント２２の基底部の固定を容易に行うことができる。
【００４６】
上部アタッチメント２２は、折返し状態でその食出部をマスク本体１０に固定するための固定手段４２を有している。このため、固定手段を別途用意しなくても、上部アタッチメント２２の食出部をマスク本体１０に固定することができる。これにより、上部アタッチメント２２の折返し状態を安定的に維持することができる。特に固定手段４２が接着剤である場合、マスク本体１０に対する上部アタッチメント２２の食出部の固定を容易に行うことができる。
【００４７】
上部アタッチメント２２は、マスク本体１０に対して着脱可能である。これにより、マスク１は、マスク本体１０に対して上部アタッチメント２２が取り付けられた状態、取り外された状態の何れでも使用することができるため、装着者にとっての利便性が高まる。
【００４８】
マスク用アタッチメント２０は、マスク本体１０の左端及び右端のそれぞれから食み出す一対の側部アタッチメント２４を含んでいる。これにより、マスク本体１０の左右両端と顔との間の隙間からマスク本体１０内の空間に侵入しようとする有害粒子を遮断することができる。
【００４９】
側部アタッチメント２４による有害粒子の遮断効果を高めるには、マスク本体１０の左端のうち側部アタッチメント２４が食み出す部分の長さｓ１を大きくした方が有利である。かかる観点から、長さｓ１は、マスク本体１０の左端全体の長さｓ０の１／２以上であることが好ましく、４／５以上であることがより好ましい。なお、長さｓ１は、長さｓ０に等しくてもよい。すなわち、側部アタッチメント２４は、マスク本体１０の左端全体から食み出してもよい。マスク本体１０の右端のうち側部アタッチメント２４が食み出す部分の長さについても、同様である。
【００５０】
側部アタッチメント２４の厚みは、マスク本体１０の厚みよりも大きい。これにより、有害粒子が側部アタッチメント２４を通り抜けにくくなる。このことも、側部アタッチメント２４による有害粒子の遮断効果の向上に資する。
【００５１】
側部アタッチメント２４がマスク本体１０と異なる色を有する場合、マスク１のファッション性を向上させることができる。側部アタッチメント２４に図柄が描かれている場合も、同様である。特に、動物、スイーツ、乗り物、又はキャラクターの図柄は、子供の関心を強く惹く。そのため、これらの図柄が側部アタッチメント２４に描かれている場合、子供が嫌がらずにマスク１を装着し易くなる。
【００５２】
側部アタッチメント２４は、折返し状態で使用可能である。側部アタッチメント２４を折り返すことにより、マスク本体１０の厚み方向（図８の上下方向）の広範囲に側部アタッチメント２４を配置することができる。これにより、側部アタッチメント２４による有害粒子の遮断効果を向上させることができる。なお、側部アタッチメント２４は、折り返されていない状態で使用してもよい。
【００５３】
側部アタッチメント２４は、その基底部をマスク本体１０に固定するための固定手段３４を有している。このため、固定手段を別途用意しなくても、側部アタッチメント２４の基底部をマスク本体１０に固定することができる。これにより、側部アタッチメント２４がマスク本体１０に取り付けられた状態を安定的に維持することができる。特に固定手段３４が接着剤である場合、マスク本体１０に対する側部アタッチメント２４の基底部の固定を容易に行うことができる。
【００５４】
側部アタッチメント２４は、折返し状態でその食出部をマスク本体１０に固定するための固定手段４４を有している。このため、固定手段を別途用意しなくても、側部アタッチメント２４の食出部をマスク本体１０に固定することができる。これにより、側部アタッチメント２４の折返し状態を安定的に維持することができる。特に固定手段４４が接着剤である場合、マスク本体１０に対する側部アタッチメント２４の食出部の固定を容易に行うことができる。
【００５５】
側部アタッチメント２４は、マスク本体１０に対して着脱可能である。これにより、マスク１は、マスク本体１０に対して側部アタッチメント２４が取り付けられた状態、取り外された状態の何れでも使用することができるため、装着者にとっての利便性が高まる。
【００５６】
マスク用アタッチメント２０は、マスク本体１０の下端から食み出す下部アタッチメント２６を含んでいる。これにより、マスク本体１０の下端と顔との間の隙間からマスク本体１０内の空間に侵入しようとする有害粒子を遮断することができる。
【００５７】
下部アタッチメント２６による有害粒子の遮断効果を高めるには、マスク本体１０の上端のうち下部アタッチメント２６が食み出す部分の長さｂ１を大きくした方が有利である。かかる観点から、長さｂ１は、マスク本体１０の下端全体の長さｂ０の１／２以上であることが好ましく、４／５以上であることがより好ましい。なお、長さｂ１は、長さｂ０に等しくてもよい。すなわち、下部アタッチメント２６は、マスク本体１０の下端全体から食み出してもよい。
【００５８】
下部アタッチメント２６の厚みは、マスク本体１０の厚みよりも大きい。これにより、有害粒子が下部アタッチメント２６を通り抜けにくくなる。このことも、下部アタッチメント２６による有害粒子の遮断効果の向上に資する。
【００５９】
下部アタッチメント２６がマスク本体１０と異なる色を有する場合、マスク１のファッション性を向上させることができる。下部アタッチメント２６に図柄が描かれている場合も、同様である。特に、動物、スイーツ、乗り物、又はキャラクターの図柄は、子供の関心を強く惹く。そのため、これらの図柄が下部アタッチメント２６に描かれている場合、子供が嫌がらずにマスク１を装着し易くなる。
【００６０】
下部アタッチメント２６は、折返し状態で使用可能である。下部アタッチメント２６を折り返すことにより、マスク本体１０の厚み方向（図１１の左右方向）の広範囲に下部アタッチメント２６を配置することができる。これにより、下部アタッチメント２６による有害粒子の遮断効果を向上させることができる。なお、下部アタッチメント２６は、折り返されていない状態で使用してもよい。
【００６１】
下部アタッチメント２６は、その基底部をマスク本体１０に固定するための固定手段３６を有している。このため、固定手段を別途用意しなくても、下部アタッチメント２６の基底部をマスク本体１０に固定することができる。これにより、下部アタッチメント２６がマスク本体１０に取り付けられた状態を安定的に維持することができる。特に固定手段３６が接着剤である場合、マスク本体１０に対する下部アタッチメント２６の基底部の固定を容易に行うことができる。
【００６２】
下部アタッチメント２６は、折返し状態でその食出部をマスク本体１０に固定するための固定手段４６を有している。このため、固定手段を別途用意しなくても、下部アタッチメント２６の食出部をマスク本体１０に固定することができる。これにより、下部アタッチメント２６の折返し状態を安定的に維持することができる。特に固定手段４６が接着剤である場合、マスク本体１０に対する下部アタッチメント２６の食出部の固定を容易に行うことができる。
【００６３】
下部アタッチメント２６は、マスク本体１０に対して着脱可能である。これにより、マスク１は、マスク本体１０に対して下部アタッチメント２６が取り付けられた状態、取り外された状態の何れでも使用することができるため、装着者にとっての利便性が高まる。
【００６４】
マスク用アタッチメント２０は、マスク本体１０の外面に固定される。この場合、マスク本体１０の端部の少なくとも一部が外面側から覆われることになるため、当該端部と顔との間の隙間からの有害粒子の侵入を遮断するのに有利である。
【００６５】
マスク本体１０には、マスク用アタッチメント２０の取付位置を示す印１４が付されている。これにより、マスク用アタッチメント２０を取り付ける際、マスク本体１０に対するマスク用アタッチメント２０（上部アタッチメント２２、側部アタッチメント２４及び下部アタッチメント２６）の位置合わせを容易に行うことができる。
【００６６】
本発明は、上記実施形態に限定されるものではなく、様々な変形が可能である。上記実施形態においてマスク本体１０は、保水材が収容される袋状ないしポケット状の保水材収容部を有していてもよい。その場合、保水材収容部に保水材を収容した状態でマスク１を使用することにより、マスク本体１０内の空間の湿度を高めることができる。
【００６７】
上記実施形態においてマスク用アタッチメント２０は、帯電状態にあってもよい。かかるマスク用アタッチメント２０は、マスク用アタッチメント２０の材料としてコロナ処理やプラズマ処理等により静電気を帯電させた不織布等を用いることにより実現することができる。この場合、マスク用アタッチメント２０の静電気で有害粒子を吸着して捕捉することができる。これにより、マスク用アタッチメント２０による有害粒子の遮断効果を一層向上させることができる。
【００６８】
上記実施形態においてマスク用アタッチメント２０は、抗菌成分を含有していてもよい。その場合、雑菌が繁殖するのを抑制することができるため、より衛生的にマスク用アタッチメント２０ひいてはマスク１を使用することができる。
【００６９】
上記実施形態においては、上部アタッチメント２２が矩形状をしている場合を例示した。しかし、上部アタッチメント２２の形状は、任意である。例えば、上部アタッチメント２２は、図１２に示すように、下端が直線状をしており、それ以外の部分は曲線状をした輪郭を有する形状をしていてもよい。あるいは、上部アタッチメント２２は、図１３に示すように、上端及び下端が直線状をしており、それ以外の部分は曲線状をした輪郭を有する形状をしていてもよい。図１２及び図１３の何れにおいても、上部アタッチメント２２の輪郭の曲線部分は、上部アタッチメント２２の外側に膨らんでいる。側部アタッチメント２４及び下部アタッチメント２６についても、同様である。
【００７０】
上記実施形態において上部アタッチメント２２は、例えば図１４に示すように、鼻の形状に沿った立体形状を有していてもよい。同図は、マスク本体１０の内面を示している。かかる形状の上部アタッチメント２２は、例えば、矩形状のシートにおける上側の２つの隅を斜め下方に折り曲げた状態で当該シートの内面に接着することにより実現することができる。これにより、上部アタッチメント２２を鼻に密着させやすくなるため、マスク本体１０の上端と鼻の両脇との間の隙間を効果的に塞ぐことができる。
【００７１】
上記実施形態において側部アタッチメント２４には、例えば図１５に示すように、ダーツ２４ａが入っていてもよい。同図は、マスク本体１０の内面を示している。これにより、側部アタッチメント２４の中央部が顔に押し付けられるため、側部アタッチメント２４を顔に密着させやすくなる。このため、マスク本体１０の左右両端と顔との間の隙間を効果的に塞ぐことができる。
【００７２】
上記実施形態において下部アタッチメント２６は、例えば図１６に示すように、左右方向に延びる複数の折目２６ａ，２６ｂ，２６ｃ，２６ｄを有しており、折目２６ａ，２６ｂ，２６ｃ，２６ｄに沿って蛇腹状に折り曲げられるように構成されていてもよい。同図は、マスク本体１０の内面を示している。折目２６ａ，２６ｃは谷折線であり、折目２６ｂ，２６ｄは山折線である。これにより、図１７に示すように、マスク本体１０の厚み方向の広範囲に下部アタッチメント２６を配置することができるため、マスク本体１０の下端と顔との間の隙間を効果的に塞ぐことができる。同図は、蛇腹状に折り曲げられた下部アタッチメント２６を横から見た図である。
【００７３】
上記実施形態においては、上部アタッチメント２２がマスク本体１０の外面に固定される場合を例示した。しかし、上部アタッチメント２２は、マスク本体１０の内面に固定されてもよい。その場合、印１４は、マスク本体１０の内面に付される。また、固定手段３２は、上部アタッチメント２２の外面に設けられる。側部アタッチメント２４及び下部アタッチメント２６についても、同様である。
【００７４】
上記実施形態においては、上部アタッチメント２２に固定手段３２が設けられた場合を例示した。しかし、上部アタッチメント２２に固定手段３２を設けることは、必須でない。上部アタッチメント２２に固定手段３２を設けない場合、装着者側で別途用意した粘着テープ等の固定手段により、上部アタッチメント２２の基底部をマスク本体１０に固定すればよい。あるいは、マスク本体１０と顔との間に挟み込むことにより、上部アタッチメント２２の基底部をマスク本体１０に固定してもよい。固定手段３４及び固定手段３６についても、同様である。
【００７５】
上記実施形態においては、上部アタッチメント２２に固定手段４２が設けられた場合を例示した。しかし、上部アタッチメント２２に固定手段４２を設けることは、必須でない。上部アタッチメント２２に固定手段４２を設けない場合、装着者側で別途用意した粘着テープ等の固定手段により、上部アタッチメント２２の食出部をマスク本体１０に固定すればよい。あるいは、マスク本体１０と顔との間に挟み込むことにより、上部アタッチメント２２の食出部をマスク本体１０に固定してもよい。固定手段４４及び固定手段４６についても、同様である。
【００７６】
上記実施形態においては、上部アタッチメント２２の厚みがマスク本体１０の厚みよりも大きい場合を例示した。しかし、上部アタッチメント２２の厚みは、マスク本体１０の厚みに等しくてもよいし、マスク本体１０の厚みより小さくてもよい。側部アタッチメント２４及び下部アタッチメント２６についても、同様である。
【００７７】
上記実施形態においては、マスク用アタッチメント２０が上部アタッチメント２２、側部アタッチメント２４及び下部アタッチメント２６の全てを含む場合を例示した。しかし、マスク用アタッチメント２０は、上部アタッチメント２２、側部アタッチメント２４及び下部アタッチメント２６の少なくとも１つを含んでいればよい。すなわち、マスク用アタッチメント２０は、上部アタッチメント２２、側部アタッチメント２４及び下部アタッチメント２６の何れか１つのみを含んでいてもよいし、何れか２つのみを含んでいてもよい。また、マスク用アタッチメント２０は、一対の側部アタッチメント２４の一方のみを含んでいてもよい。
【符号の説明】
【００７８】
１  マスク
１０  マスク本体
１２  固定手段（マスク固定手段）
１４  印
２０  マスク用アタッチメント
２２  上部アタッチメント
２４  側部アタッチメント
２４ａ  ダーツ
２６  下部アタッチメント
２６ａ，２６ｂ，２６ｃ，２６ｄ  折目
３２  固定手段（基底部固定手段）
３４  固定手段（基底部固定手段）
３６  固定手段（基底部固定手段）
４２  固定手段（食出部固定手段）
４４  固定手段（食出部固定手段）
４６  固定手段（食出部固定手段）
【図１】
2020114961.tif 000003
【図２】
2020114961.tif 000004
【図３】
2020114961.tif 000005
【図４】
2020114961.tif 000006
【図５】
2020114961.tif 000007
【図６】
2020114961.tif 000008
【図７】
2020114961.tif 000009
【図８】
2020114961.tif 000010
【図９】
2020114961.tif 000011
【図１０】
2020114961.tif 000012
【図１１】
2020114961.tif 000013
【図１２】
2020114961.tif 000014
【図１３】
2020114961.tif 000015
【図１４】
2020114961.tif 000016
【図１５】
2020114961.tif 000017
【図１６】
2020114961.tif 000018
【図１７】
2020114961.tif 000019